(57)【要約】      （修正有）【課題】簡単な計算処理で６色印刷に適した画像か４色印刷に適した画像かを判断し、ソフトウェアのみ、あるいは簡易なハードウェアの追加のみで６色印刷動作と４色印刷動作を切り替える。【解決手段】濃度の異なる複数のトナーを用いてカラー画像を印刷できる画像情報出力手段を備えるカラー画像処理システムにおいて、各色成分ごとに濃度が異なる複数のトナーを用いて印刷を行うか単一濃度のトナーのみを用いて印刷を行うかを切り替える切り替え手段、画像の各画素が有彩色であるか無彩色であるか判定する手段、画像の各画素が文字であるか写真であるかを判定する手段、前記切り替え手段を無彩色の画素あるいは文字の画素が所定の割合以下かどうかで切り替える判定手段、を備えることを特徴とするカラー画像処理システム。【選択図】図１
2007036793.tif 000002
【特許請求の範囲】
【請求項１】
画像情報を入力する画像情報入力手段、
入力された前記画像情報を一時的に記憶する画像情報記憶手段、
各色成分において濃度の異なる複数のトナーを用いてカラー画像を印刷できる画像情報出力手段、
少なくとも１つ以上の入力された前記画像情報を一定期間蓄積する画像情報蓄積手段、
前記画像情報入力手段と前記画像情報記憶手段と前記画像蓄積手段と前記画像情報出力手段と前記画像情報送受信手段を制御する制御手段、
を備えるカラー画像処理システムにおいて、
前記画像情報出力手段において、各色成分ごとに濃度異なる複数のトナーを用いて印刷を行うか、単一濃度のトナーのみを用いて印刷を行うかを切り替える切り替え手段、
画像の各画素が有彩色であるか無彩色であるか判定する手段、
画像の各画素が文字であるか写真であるかを判定する手段、
前記切り替え手段を、無彩色の画素あるいは文字の画素が所定の割合以下かどうかで切り替える判定手段、
を備えることを特徴とするカラー画像処理システム。
【発明の詳細な説明】
【技術分野】
【０００１】
本発明は、印刷情報処理装置、印刷装置、印刷情報処理方法および印刷システムに係るカラー画像処理システムに関し、詳しくは、トナーやインクなど印刷に用いる記録剤の種類について、それらを用いる種類の数が異なる複数のモードを切り替えて印刷を行う構成に関するものである。
【背景技術】
【０００２】
従来、高画質なカラー印刷を行うため、トナーやインクなどの記録剤について、シアン（Ｃ）、マゼンタ（Ｍ）、イエロー（Ｙ）、ブラック（Ｋ）の４色に加えて、例えば、シアンおよびマゼンタと同一の色相で濃度がより薄い特性をもつライトシアン（Ｌｃ）およびライトマゼンタ（Ｌｍ）を加えた６色を用いた印刷を行うことができるプリンタが知られている。
【０００３】
このような印刷装置では複数種類の記録剤の用い方として、用いる記録剤の種類の数は変わらないもののそれぞれの記録剤の用い方が異なる複数のモードを切り替えて印刷を行う形態が知られている（例えば、特許文献１参照）。
【０００４】
また、別の形態として、用いる記録剤の種類の数が異なるモードとして、例えば、Ｃ、Ｍ、Ｙ、Ｋ、Ｌｃ、Ｌｍの６色を用いるモードとＣ、Ｍ、Ｙ、Ｋの４色を用いるモードを切り替えて印刷する形態が知られている（例えば、特許文献２参照）。
【０００５】
後者の形態は、高画質の印刷をする場合はより多い記録剤の組である６色の記録剤を用いた印刷を行い、それほど画質を必要としない印刷をする場合はより少ない記録剤の組である４色の記録剤を用いた印刷を行う。これにより、印刷する画像の画質に応じて無駄なく記録剤を用いることを可能としている。
【０００６】
例えば、文字画像などを印刷する場合は、Ｃ、Ｍ、Ｙ、Ｋ４色の記録剤を用いた印刷画質と、これらにＬｃ、Ｌｍの記録剤を加えた６色の記録剤を用いた印刷画質との間にそれほど大きな差は生じないことが多く、このため、そのような画像については４色印刷を行うことによってＬｃ、Ｌｍの記録剤を不必要に用いることを抑制することができる。
【０００７】
また、写真画像などの階調画像を印刷する場合は６色印刷を行うことによってより高い画質の印刷が可能となる。
【０００８】
そして、このような４色記録と６色記録といった用いる記録剤の組の切り替えのための構成として、特許文献２には、ユーザーが、印刷する画像に応じて４色記録のモードと６色記録のモードを、操作パネルなどを介して設定することが記載されている。
【０００９】
なお、特許文献１には、記録剤の用い方が異なる複数のモード切り替える際に、印刷すべき画像の種類を判別しその判別に基づいて切り替えを行うことが記載されている。そして、その判別方法として、同文献には、画像データについて濃度分布や隣接するドット間での濃度差をチェックすることにより画像種類を判別することが示されている。
【特許文献１】特開２００１−２９０３１９号公報
【特許文献２】特開平１０−０４４４７２号公報
【発明の開示】
【発明が解決しようとする課題】
【００１０】
しかしながら、特許文献２に記載の切り替え構成は、ユーザーが印刷ジョブごとにその印刷内容などを考慮してモード設定を行うものである。このため、設定のための操作がユーザーにとって煩わしいという問題がある。さらに、ユーザーによる設定であると、印刷文書の各ページに対してそれぞれ４色か６色かを指定することは、特に大量のページを持つ文書であれば困難であり、写真画像があるページと文字情報のみのページが混在するような文書では、ページごとに自動判別することによってユーザーの利便性が大きく向上する。
【００１１】
一方、特許文献１に記載される判別方法自体は、上述したように、画像データについて濃度分布などをチェックするといった方法である。この方法では判別に必要な演算回数が多いため、ソフトウェアで実行するためには処理負荷が高く、処理時間も長くなり、実用的な速度で自動判別を行うためには特別なハードウェアが必要となる。
【００１２】
ページ記述言語（Ｐａｇｅ  Ｄｅｓｃｒｉｐｔｉｏｎ  Ｌａｎｇｕａｇｅ：  ＰＤＬ）のデータを解釈してラスタライズし、印刷する、いわゆるＰＤＬプリントの場合には、ＰＤＬ内のオブジェクトごとに文字であるとか写真画像であるとかの属性をつけることができるため、この属性情報から４色印刷を行うか６色印刷を行うかを切り替える、という技術もある。
【００１３】
しかし、ＰＤＬではオブジェクトの重ねあわせができるため、例えば写真画像オブジェクトの上に文字オブジェクトを重ね、完全に写真画像オブジェクトが隠れてしまうような場合もある。このとき、写真画像オブジェクトが実際に印字されるかどうか判断することが困難であった。
【００１４】
本発明における課題は、簡単な計算処理で６色印刷に適した画像か４色印刷に適した画像かを判断し、ソフトウェアのみ、あるいは簡易なハードウェアの追加のみで６色印刷動作と４色印刷動作を切り替えることである。
【課題を解決するための手段】
【００１５】
本発明では、ＰＤＬ画像あるいはスキャン画像の入力時に画素ごとにどんなオブジェクトに属するかを示す像域フラグを付加する。そして、入力終了後に各画素の像域フラグを見て、写真画像画素が所定の割合以上あれば６色印刷動作を行い、所定の割合以下であれば４色印刷動作を行う。
【００１６】
すなわち、本発明の技術内容は以下の構成を備えることにより前記課題を解決できた。
【００１７】
（１）画像情報を入力する画像情報入力手段、入力された前記画像情報を一時的に記憶する画像情報記憶手段、色成分において濃度の異なる複数のトナーを用いてカラー画像を印刷できる画像情報出力手段、少なくとも１つ以上の入力された前記画像情報を一定期間蓄積する画像情報蓄積手段、前記画像情報入力手段と前記画像情報記憶手段と前記画像蓄積手段と前記画像情報出力手段と前記画像情報送受信手段を制御する制御手段、を備えるカラー画像処理システムにおいて、前記画像情報出力手段において、各色成分ごとに濃度異なる複数のトナーを用いて印刷を行うか、単一濃度のトナーのみを用いて印刷を行うかを切り替える切り替え手段、画像の各画素が有彩色であるか無彩色であるか判定する手段、画像の各画素が文字であるか写真であるかを判定する手段、前記切り替え手段を、無彩色の画素あるいは文字の画素が所定の割合以下かどうかで切り替える判定手段、を備えることを特徴とするカラー画像処理システム。
【発明の効果】
【００１８】
本発明では、６色印刷と４色印刷の切り替えを、プリンタに対する画像の入力ソースに応じて、自動的に行うことによって、ユーザーの手を煩わせることなく最適な印刷色数が選択できることになる。
【発明を実施するための最良の形態】
【００１９】
以下、本発明にかかる一実施形態について、図面を参照して詳細に説明する。
【実施例】
【００２０】
［第一の実施例］
図１は、本発明の実施例を示す画像形成装置システムの全体の構成を説明するブロック図である。本画像形成装置２００は、画像入力デバイスであるスキャナ部２０７０、画像出力デバイスであるプリンタ部２０９５、Ｃｏｎｔｒｏｌｌｅｒ  Ｕｎｉｔ  ２０００、ユーザーインターフェースである操作部２１１２から構成される。スキャナ部２０７０、プリンタ部２０９５、操作部２１１２は、それぞれＣｏｎｔｒｏｌｌｅｒ  Ｕｎｉｔ  ２０００に接続され、Ｃｏｎｔｒｏｌｌｅｒ  Ｕｎｉｔ２０００は、ＬＡＮ２０１１などのネットワーク伝送手段、公衆回線に接続されている。公衆回線からはカラー画像送信を含むＧ３、Ｇ４ファックスによる送信が可能である。
【００２１】
また、ＬＡＮ２０１１には、画像形成装置２００と同様の機器構成をもつ他の画像形成装置２２０、２３０が接続されえている。また、パーソナルコンピュータ（以下ＰＣ）２４０が接続されていて、ＦＴＰ，ＳＭＢプロトコルを使用したファイルの送受信、電子メールの送受信ができる。画像形成装置２２０、２３０は、それぞれスキャナ部２２７０、２３７０、プリンタ部２２９５、２３９５、操作部２２１２、２３１２を持ち、それらがＣｏｎｔｒｏｌｌｅｒ  Ｕｎｉｔ  ２２００、２３００に接続されている。
【００２２】
図２は、画像形成装置の構成を説明するブロック図である。Ｃｏｎｔｒｏｌｌｅｒ  Ｕｎｉｔ  ２０００は画像入力デバイスであるカラースキャナ２０１５や画像出力デバイスであるカラープリンタ２０１７と接続し、一方ではＬＡＮ２００８や公衆回線（ＷＡＮ）２０５１接続することで、画像情報やデバイス情報の入出力を行う為のコントローラである。ＣＰＵ２００１はシステム全体を制御するコントローラである。ＲＡＭ２００２はＣＰＵ２００１が動作するためのシステムワークメモリであり、画像データを一時記憶するための画像メモリでもある。ＲＯＭ２００３はブートＲＯＭであり、システムのブートプログラムが格納されている。ＨＤＤ２００４はハードディスクドライブで、システムソフトウェア、画像データを格納する。操作部Ｉ／Ｆ２００５は操作部（ＵＩ）２００６とインタフェース部で、操作部２００６に表示する画像データを操作部２００６に対して出力する。
【００２３】
また、操作部２００６から本システムユーザーが入力した情報を、ＣＰＵ２００１に伝える役割をする。Ｎｅｔｗｏｒｋ２００７はＬＡＮ２００８に接続し、情報の入出力を行う。Ｍｏｄｅｍ２０５０は公衆回線２０５１に接続し、画像情報の入出力を行う。２値画像回転２０５２、および２値画像圧縮・伸張２０５３はＭｏｄｅｍ２０５０で２値画像を送信する前に画像の方向を変換したり、所定の解像度、あるいは相手能力に合わせた解像度に変換するためのものである。圧縮、伸張はＪＢＩＧ、ＭＭＲ、ＭＲ、ＭＨ  をサポートしている。ＤＭＡＣ２００９はＤＭＡコントローラであり、ＲＡＭ２００２に格納されている画像をＣＰＵ２００１を介することなく読み取りＩｍａｇｅＢｕｓＩ／Ｆ２０１１に対して画像転送する、もしくは画像バスからの画像をＣＰＵ２００１を介することなくＲＡＭ２００２に書き込む。
【００２４】
以上のデバイスがシステムバス２００８に接続される。ＩｍａｇｅＢｕｓＩ／Ｆ２０１１は画像バス２０１０を介して高速な画像の入出力を制御するためのインタフェースである。圧縮器２０１２は画像バス２０１０に画像を送出する前に３２画素ｘ３２画素の単位でＪＰＥＧ圧縮するための圧縮器である。伸張器２０１３は画像バス２０１０を介して送られた画像を伸張するための伸張器である。
【００２５】
スキャナ画像処理２０１４はスキャナ２０１５からのカラー画像、白黒画像に対して、適切な各種画像処理（たとえば補正、加工、編集）を行い出力する（多値）。同様にプリンタ画像処理２０１６はプリンタ２０１７に対して適切な各種画像処理（たとえば補正、加工、編集）を行うプリント時は伸張２０１３で２値多値変換を行うので、２値、および多値出力が可能である。
【００２６】
画像変換部２０３０はＲＡＭ上にある画像を画像変換し、再度、ＲＡＭ２０３０に下記戻すときに使われる各種画像変換機能を有する。回転器２０１９は３２画素ｘ３２画素単位の画像を指定された角度で回転でき、２値、および多値の入出力に対応している。変倍器２０２０は画像の解像度を変換（たとえば６００ｄｐｉから２００ｄｐｉ）したり、変倍したりする機能（たとえば２５％から４００％まで）を有する。変倍する前には３２ｘ３２画素の画像を３２ライン単位の画像に並び替える。
【００２７】
色空間変換２０２１は多値入力された画像をマトリクス演算、およびＬＵＴにより、たとえばメモリ上にあるＹＵＶ画像をＬａｂ画像に変換し、メモリ上に格納する。また、この色空間変換は３ｘ８のマトリクス演算および、１次元ＬＵＴをもち、公知の下地とばしや裏写り防止を行うことができる。変換された画像は多値で出力される。２値多値変換２０２２は１ｂｉｔ２値画像を多値８ｂｉｔ、２５６階調にする。逆に多値２値変換２０２６はたとえばメモリ上にある８ｂｉｔ、２５６階調の画像を誤差拡散処理などの手法により１ｂｉｔ、２階調に変換し、メモリ上に格納する。合成はメモリ上の２枚の多値画像画像を合成し、１枚の多値画像にする機能を有する。
【００２８】
たとえば、メモリ上にある会社ロゴの画像と原稿画像を合成することで、原稿画像に簡単に会社ロゴをつけることができる。間引き２０２４は多値画像の画素を間引くことで、解像度変換を行うユニットであり１／２，１／４，１／８の多値画像を出力可能である。変倍２０２０と合わせて使うことで、より広範囲な拡大、縮小を行うことができる。移動２０２５は入力された２値画像、多値画像に余白部分をつけたり、余白部分を削除したりして出力することができる。回転２０１９、変倍２０２０、色空間変換２０２１、２値多値２０２２、合成２０２３、間引き２０２４、移動２０２５、多値２値２０２６はそれぞれ連結して動作することが可能で、たとえばメモリ上の多値画像を画像回転、解像度変換する場合は、両処理をメモリを介さずに連結して行うことができる。
【００２９】
図３に画像の形式を示す。本発明で使用される画像の形式は特開２００１−１０３４７３号公報で開示されている画像パケット構造を利用する。圧縮２０１２ではラスタ形式の画像を、図３のごとく３２ｘ３２画素単位のパケットとして並び替え、パケット単位でＪＰＥＧ圧縮を行う。同時にパケットにパケットの位置を示すＩＤ、色空間、ＱテーブルＩＤ、データ長などの情報を付加してヘッダーとする。また、このパケットヘッダには、入力ソース識別情報があり、そこには当該画像の入力元がスキャナなのかＰＤＬなのかなどを示す入力元機器識別子、また、高品位のデータなのか、低品位のデータなのかを示す画像品位機別子があり、このヘッダー情報を参照することにより、これらを識別することができる。
【００３０】
さらには、文字、写真を示す２値のデータ（像域フラグ）も同様に圧縮して、ＪＰＥＧの後ろに付随させる。図４にパケットデータを示す。伸張２０１３ではこのヘッダー情報をもとにＪＰＥＧを展開し、ラスタ画像に並び替える。このようなパケット画像にすることで、画像回転のときにはパケット内部の画像のみを回転し、パケットＩＤの位置を変更することで、部分的に伸張圧縮で回転することができるため非常に効率がよい。ＩｍａｇｅＢｕｓ２０１０を流れる画像はすべてパケット画像になる。
【００３１】
ＦＡＸ送信や２値画像回転２０５２、２値画像圧縮、伸張２０５３などでラスタ画像が必要な場合は、パケット画像からラスタ画像への変換をソフトウェアによって行う。
【００３２】
ラスターイメージプロセッサ（ＲＩＰ）２０１８はホストコンピュータからのＰＤＬコードをＮｅｔｗｏｒｋ２００７を介して受け取り、システムバス２００８を通して、ＣＰＵ２００１がＲＡＭ２００２に格納する。ＣＰＵ２００１はＰＤＬを中間コードに変換し、再度システムバス２００８を介してＲＩＰ２０１８に入力する。
【００３３】
図９はＲＩＰ２０１８の内部構成図である。ＲＩＰ２０１８は中間コードに含まれる各オブジェクトを、ビットオペレーションユニット２９０１へ入力し、ビットオペレーションユニット２９０１はオブジェクトをＲＧＢの画像信号値と文字／写真フラグに展開する。文字／写真フラグはＰＤＬのオブジェクトに従って生成される。例えば文字オブジェクトや線（ベクター）オブジェクトであれば文字と判定し、ビットマップやＪＰＥＧ画像のイメージオブジェクトであれば写真と判定する。
【００３４】
また、ビットオペレーションユニット２９０１で生成したＲＧＢ画像信号値は有彩色／無彩色判定器２９０３へ入力され、有彩色／無彩色信号が生成される。そして、ビットオペレーションユニット２９０１は生成したＲＧＢ画像信号値、有彩色／無彩色フラグ、文字／写真フラグを、オブジェクトの座標に従ってフレームメモリ２９０２の対応するアドレスへ書き込む。オブジェクトの重なりがあった場合には、重ねあわせが下のオブジェクトを先に展開してフレームメモリ２９０２へ書き込み、重ねあわせが上のオブジェクトを後で展開してフレームメモリ２９０２上で上書きすることにより、最終的に印字される画素データがフレームメモリ２９０２上に格納される。フレームメモリ２９０２に格納された画素データはすべてのオブジェクトの展開が終わった後圧縮器２０１２へ送られ、圧縮器２０１２は前述した画像フォーマットに各画素の信号を並び替えて圧縮し、ＩｍａｇｅＢｕｓＩ／Ｆ２０１１を介してＲＡＭ２００２へ画像データが格納される。
【００３５】
図５にスキャナ画像処理２０１４の詳細説明を示す。スキャナから入力されたＲＧＢ各８ｂｉｔの輝度信号はマスキング２５０１により撮像素子のフィルタ色に依存しない標準的なＲＧＢ色信号に変換される。フィルタ２５０２ではたとえば９ｘ９のマトリクスを使用し、画像をぼかしたり、メリハリをつける処理が行われる。ヒストグラム２５０３は入力画像中の画像信号データのサンプリングをする処理部であり、入力画像の下地レベル判定に使用される。このモジュールでは主走査方向、副走査方向にそれぞれ指定した開始点から終了点で囲まれた矩形領域内のＲＧＢデータを、主走査方向、副走査方向に一定のピッチでサンプリングし、ヒストグラムを作成する。このヒストグラムは、下地とばしや、裏写り防止が指定されたとき、読み出され、ヒストグラムから原稿の下地を推測し、下地とばしレベルとして、画像とともにメモリやＨＤＤに保存、管理され、印刷や送信時の画像処理に使用される。ガンマ２５０４では画像全体の濃度を濃くあるいは薄くするように処理が行われる。
【００３６】
たとえば入力画像の色空間を任意の色空間に変換したり、入力系の色味に関する補正処理を行う部分である。原稿がカラーか白黒かを判断するために変倍前の画像信号を色空間変換２５０５によって公知のＬａｂに変換する。このうちａ，ｂは色信号成分を表しており、比較器２５０６内の所定のレベル以上であれば有彩色、そうでなければ無彩色として１ｂｉｔの判定信号を比較器２５０６から出力する。カウンタ２５０７は比較器からの出力を計測する。文字／写真判定は画像から文字エッジを抽出し、画像を文字と写真に分離する機能である。出力として、文字写真判定信号が得られる。２５０９は特定原稿判定器である。特定原稿判定器は入力画像信号と、判定器内部で持つパターンがどの程度一致するかを比較し、図示したように一致、不一致という判定結果を読み出すことが可能である。判定結果に応じて、画像を加工し、紙幣や有価証券などの偽造を防止する。
【００３７】
ガンマ２５０４からの出力のＲＧＢ信号、比較器２５０６からの出力の無彩色信号、文字／写真判定２５０８からの出力の文字／写真判定信号は圧縮器２０１２へ送られ、圧縮器２０１２は前述した画像フォーマットに各画素の信号を並び替えて圧縮し、ＩｍａｇｅＢｕｓＩ／Ｆ２０１１を介してＲＡＭ２００２へ画像データが格納される。
【００３８】
図１０に圧縮器２０１２の構成を示す。スキャナ画像処理部２０１４あるいはＲＩＰ２０１８から圧縮器２０１２へ入力されたＲＧＢ画像信号と文字／写真判定信号、有彩色／無彩色信号は３２ｘ３２画素のタイルに分割するため３２ライン分のラインメモリ３００２へ格納される。
【００３９】
３２ラインメモリ３００２上のデータフォーマットは３００１に示したように、ＲＧＢおよび像域フラグが画素ごとに８ビットずつ並んだフォーマットである。像域フラグも８ビットから構成されており、最上位ビットが文字／写真フラグ、次のビットが有彩色／無彩色フラグとなっている。３２ラインメモリ３００２に３２ライン分の画像データがたまったところで３２ｘ３２画素のタイルに分割してＲＧＢデータはＪＰＥＧ圧縮器３００３へ送られる。ＪＰＥＧ圧縮器３００３はＪＰＥＧ圧縮したデータをＪＰＥＧ圧縮データメモリ３００５へ格納する。
【００４０】
同時に、像域データも３２ｘ３２画素のタイルに分割してランレングス圧縮器３００４へ送られ、ランレングス圧縮をしてランレングス圧縮データメモリ３００６に格納される。ＪＰＥＧ圧縮およびランレングス圧縮が完了したところでパケット化回路３００７はＪＰＥＧ圧縮データメモリ３００６とランレングス圧縮データメモリ３００７からデータを読み出して図４のパケットフォーマットに構成し、Ｉｍａｇｅ  Ｂｕｓ  Ｉ／Ｆへ送り出す。
【００４１】
図６にプリンタ画像処理２０１６の詳細説明を示す。
【００４２】
２６０１は画像データの地色を飛ばし、不要な下地のカブリ除去を行う。例えば、３×８のマトリクス演算や、１次元ＬＵＴにより下地飛ばしを行う。これは前述したように２０３２にも含まれる機能であり、まったく同等の回路である。２６０２はカラー画像データをモノクロデータに変換し、単色としてプリントする際に、カラー画像データ、例えばＲＧＢデータを、Ｇｒａｙ単色に変換するモノクロ生成部である。例えば、ＲＧＢに任意の定数を掛け合わせ、Ｇｒａｙ信号とする１×３のマトリクス演算から構成される。２６０３は画像データを出力するプリンタ部の特性に合わせて色補正を行う出力色補正部である。例えば、４×８のマトリクス演算や、ダイレクトマッピングなどによる処理から構成され、入力されるＲＧＢ画像信号からＣＭＹＫＬｃＬｍの６色、もしくはＣＭＹＫの４色の画像信号を生成する。
【００４３】
本実施例においては、プリンタ部２０１７が持つ６色のトナー色であるシアン（Ｃ）、マゼンタ（Ｍ）、イエロー（Ｙ）、ブラック（Ｋ）、薄いシアン（Ｌｃ）、薄いマゼンタ（Ｌｍ）に対応した画像信号を、または、シアン（Ｃ）、マゼンタ（Ｍ）、イエロー（Ｙ）、ブラック（Ｋ）の４色分に対応した画像信号を、各６００ｄｐｉ（ｄｏｔｓ  ｐｅｒ  ｉｎｃｈ）、８ｂｉｔで出力する。６色および４色の画像信号の出力は、後に詳述する処理により切り替える。
【００４４】
２６０４は画像データの空間周波数を任意に補正するフィルタ処理部であり、例えば９×９のマトリクス演算を行う処理から構成される。２６０５は出力するプリンタ部の特性に合わせて、ガンマ補正を行う処理であり、通常１次元のＬＵＴから構成される。２６０６は出力するプリンタ部の階調数に合わせて任意の中間調処理を行う処理部であり、２値化や３２値化など、任意のスクリーン処理や、誤差拡散処理を行う中間調処理部である。各処理は図示しない文字／写真判定信号によって切り替えることも可能である。
【００４５】
ドラム間遅延メモリ２６０７はＣＭＹＫＬｃＬｍの各色のドラムを持つカラープリンタにおいて、ＣＭＹＫＬｃＬｍの印字タイミングをドラム間分ずらすことで、ＣＭＹＫＬｃＬｍ画像を重ね合わせるためのメモリである。ＣＭＹＫＬｃＬｍ各色６ドラムを持つカラープリンタにおいて各色ごとの６色分の画像の位置を合わせるために遅延させることができる。当然ながら出力色補正部２６０３の出力がＣＭＹＫの４色である場合にもドラム間遅延部２６０７において遅延の調整を行うことができる。
【００４６】
画像入出力デバイスの概観図を図７に示す。
【００４７】
画像入力デバイスであるスキャナ部２０１５は撮像素子を備えている。撮像素子にはさまざまな種類があり、代表的なものとしてＣＣＤとＣＩＳが知られている。ＣＣＤ（Ｃｈａｒｇｅ  Ｃｏｕｐｌｅｄ  Ｄｅｖｉｃｅ）、ＣＩＳ（Ｃｏｎｔａｃｔ  Ｉｍａｇｅ  Ｓｅｎｓｏｒ）、ともに光を受けて電気信号に変換し画像データとして出力するものだが、一般的にＣＣＤの方がＣＩＳよりもコストが高く、そのかわり出力される画像データの品位も高い。そのため高価だが高画質が要求されるスキャナにはＣＣＤが、コストパフォーマンスが求められる安価なスキャナにはＣＩＳが搭載されることが多い。
【００４８】
本実施例では、システムを構成する複数のスキャナ部が、異なる撮像素子を備えている場合を想定している。画像形成装置２００、２２０のスキャナ部２０７０、２２７０はＣＣＤを、画像形成装置２３０のスキャナ部２３７０はＣＩＳをそれぞれ備えているものとする。
【００４９】
スキャナ部２０１５は、原稿となる紙上の画像を照明し、撮像素子（図示せず）を走査することで、ラスターイメージデータとして電気信号に変換する。原稿用紙は原稿フィーダ２７０１のトレイ２７０２にセットし、ユーザーが操作部２００６から読み取り起動指示することにより、コントローラＣＰＵ２００１がスキャナ２０１５に指示を与え、フィーダ２０７１のトレイ２７０２から原稿用紙を１枚ずつフィードし原稿画像の読み取り動作を行う。
【００５０】
画像出力デバイスであるプリンタ部２０１７は、ラスターイメージデータを用紙上の画像に変換する部分であり、本実施例では感光ドラム、トナーなどを用いる電子写真方式を採用しているカラーＬＢＰとする。印字方式には電子写真方式の他に、微少ノズルアレイからインクを吐出して用紙上に直接画像を印字するインクジェット方式などがあるが、いずれの方法によってもかまわない。印字解像度は６００ｄｐｉ（ｄｏｔｓ  ｐｅｒ  ｉｎｃｈ）である。またプリンタ部２０１７はカラーの各色ごとに感光ドラムが用意されている６連タンデム方式が採用されていて、前述の様にＣ、Ｍ、Ｙ、Ｋ、Ｌｃ、Ｌｍの基本色とそれらを組み合わせた多様な色印刷が可能な様に構成されている。
【００５１】
ここで、濃色及び淡色現像剤は、分光特性が等しい顔料の量を変えて作成される。従って、薄いマゼンタトナーは、含有する顔料の分光特性はマゼンタと等しいが含有量が少なく、薄いシアントナーは、含有する顔料の分光特性はシアンと等しいが含有量が少ない。マゼンタとシアンに対して濃い色と薄い色を用いることにより、人の肌のような淡い画像における粒状性を低減し、再現性を向上させることが可能となる。プリント動作の起動は、コントローラＣＰＵ２００１からの指示によって開始する。プリンタ部２０９５には、異なる用紙サイズまたは異なる用紙向きを選択できるように複数の給紙段を持ち、それに対応した用紙カセット２７０３、２７０４、２７０５がある。また、排紙トレイ２７０６は印字し終わった用紙を受ける排紙トレイである。
【００５２】
操作部２００６の構成を図８に示す。ＬＣＤ表示部２８０１は、ＬＣＤ上にタッチパネルシート２８０２が貼られており、システムの操作画面およびソフトキーを表示するとともに、表示してあるキーが押されるとその位置情報をコントローラＣＰＵ２００１に伝える。スタートキー２８０４は原稿画像の読み取り動作を開始する時などに用いる。スタートキー２８０３中央部には、緑と赤の２色ＬＥＤ２８０４があり、その色によってスタートキー２８０３が使える状態にあるかどうかを示す。ストップキー２８０５は稼働中の動作を止める働きをする。ＩＤキー２８０６は、ユーザーのユーザーＩＤを入力する時に用いる。リセットキー２８０７は操作部からの設定を初期化する時に用いる。
【００５３】
図１１は、本実施例の画像形成装置における初期画面であり、各画像形成機能設定後に戻ってくる標準画面でもある。３１０１はコピー設定を行うための画面切り替えを行う。３１０２はスキャンした画像をファックスや電子メールで送信する設定を行うための画面切り替えを行う。３１０３は内蔵ＨＤＤにスキャン画像、ＰＤＬ画像を格納する、あるいは格納されたスキャン画像、ＰＤＬ画像を印字、あるいは送信する、あるいは編集する設定を行うための画面切り替えを行う。３１０４は３１０５のよって設定された画像読み込み時の設定を表示するためのウィンドウである。３１０５は画像読み込み時の解像度、濃度などを設定する。３１０６はタイマー送信時のタイマー設定、ＨＤＤあるいはプリンタに印字する場合の設定などを行う。３１０７は３１０８によって指定された送信宛先の表示を行う。３１０９は３１０７に表示された１宛先の詳細な情報の表示を行う。３１１０は３１０７に表示された１宛先の消去を行う。
【００５４】
図１２は３１０５を押下したときに表示されるポップアップウィンドウである。３２０１は読み取り原稿サイズをポップアップのなかから選択入力し、設定された読み取りサイズは３２０２に表示される。３２０３は原稿の読み取りモードを選択するところであり、押下するとカラー／ブラック／自動（ＡＣＳ）の３種類が選択できる。カラーモードに関してはコピー、ボックスでも同様に選択ができる。カウンタ２５０７の計測結果が所定値よりも小さければ白黒原稿、大きければカラー原稿と判断し、カラーの場合はカラー画像を、ブラックの場合には白黒画像を、ＡＣＳの場合にはカラー画像と原稿がカラーか白黒かを判別した結果を蓄積する。３２０４は読み取りの解像度を指定するためポップアップからの選択入力になる。３２０５は原稿の読み取り濃度を調整するためのスライダであり、９段階の調整が行える。３２０６は新聞のように下地がかぶった画像を読み込む場合に、濃度を自動的に決定するためにある。３２０６についてはコピーでも同様の設定が可能である。
【００５５】
図１３にコピータブ３１０１を押下したときの画面を示す。３３０１はコピーできる状態が否かを示すところであり、同時に設定したコピー部数も表示される。３３０２は３２０６と同等の機能であり、下地除去を自動的にするかしないかを選択するためのボタンである。３３０３は３２０５と同等の機能であり、９段階の濃度調整が可能なスライダである。３３０４は原稿のタイプを選択するところであり、文字・写真・地図、文字、印画紙写真、印刷写真が選択できる。３３０５は応用モードボタンであり、縮小レイアウト（複数枚の原稿を１枚の用紙に縮小印字する機能）や、カラーバランス（ＣＭＹＫの各色微調整）などが設定できる。３３０６は各種フィニッシングにかかわる設定を行うボタンであり、シフトソート、ステープルソート、グループソートが設定できる。３３０７は両面読み込み、および、両面印刷にかかわる設定を行うボタンである。
【００５６】
図１４にボックスタブ３１０３を押下したときの画面を示す。３４０１はＨＤＤを論理的に区分した各フォルダを示す。フォルダにはフォルダ番号があらかじめ割り振られており、３４０１は０番のフォルダになる。フォルダ番号の横にはフォルダで使用しているディスク容量の割合が表示されている。また、フォルダには任意の名前をつけることができ、名前もここに表示される。３４０２はＨＤＤ全体の使用量が表示される。
【００５７】
図１５に３４０１を押下したときの画面を示す。３５０１および３５０２はフォルダに格納されている文書を示す。文書は複数のページで構成されている。３５０１はスキャンした文書であり、スキャン文書であることを示すアイコン表示、および、ＨＤＤ使用量、さらにユーザーが任意に設定できる文書名表示を表示している。３５０２はＰＤＬから格納したＰＤＬ文書であるアイコンが表示されている。アイコンを押下することで、その文書が選択されたことが反転表示によって示される。３５０３は選択された文書を送信するためのボタンである。３５０４はスキャナから原稿を読み込み、文書を生成するためのボタンである。３５０５はフォルダ内のすべての文書を選択するためのボタンである。３５０６は選択された文書を削除するためのボタンである。３５０７は選択された文書を印刷するためのボタンである。３５０８は選択された文書を編集するためのボタンである。たとえば２つの文書を選択して、結合し、１つの文書にして保存したり、特定のページを削除する機能を持っている。３５０９は最後に選択された文書の詳細情報を表示するためのボタンである。文書名以外にも解像度、原稿サイズ、カラーなどの情報をみることができる。
【００５８】
図１６にソフト構成図を示す。４０１０は表示操作部を制御するＵＩ制御部、ＵＩ制御部からの指示を受け、コピー動作、送信動作、ボックス画面からのスキャン、プリントを実行するコピーアプリケーション部４０２０、送信アプリケーション部４０２１、ＢＯＸアプリケーション部４０２２がある。またネットワークアプリケーション４１２０からのＰＤＬプリントデータをうけＰＤＬプリントジョブを投入するＰＤＬアプリケーション部４０２３がある。４０３０は機器制御部分の機器依存部分を吸収するための共通インタフェース部分、４０４０は共通インタフェースから受け取ったジョブ情報を整理し、下位層のドキュメント処理部に伝達するジョブマネージャである。ドキュメント処理部はローカルコピーであればスキャンマネージャ４０５０とプリントマネージャ４０９０、リモートコピーの送信ジョブ、あるいは送信ジョブであればスキャンマネージャ４０５０とファイルストアマネージャ４１００、リモートコピーの受信ジョブであればファイルリードマネージャ４０６０とプリントマネージャ４０９０、ＬＩＰＳやＰｏｓｔＳｃｒｉｐｔなどのＰＤＬプリントではＰＤＬマネージャ４０７０とプリントマネージャ４０９０である。各ドキュメントマネージャ間の同期とり、および各種画像処理を行うイメージマネージャ４１１０への画像処理の依頼はシンクマネージャ４０８０を介して行う。スキャン、プリント時の画像処理や画像ファイルの格納はイメージマネージャ４１１０が行う。
【００５９】
まずローカルコピーのソフト処理について説明する。ユーザーの指示によりＵＩ制御部４０１０からコピー指示とともにコピーの設定がコピーアプリケーション部４０２０に伝わる。コピーアプリケーション部４０２０はＵＩ制御部４０１０からの情報を共通インタフェース４０３０を介して、機器制御を行うジョブマネージャ４０４０に伝える。ジョブマネージャ４０４０はスキャンマネージャ４０５０とプリントマネージャ４０９０にジョブの情報を伝達する。
【００６０】
スキャンマネージャ４０５０は図示しないデバイスＩ／Ｆ（デバイスＩ／Ｆはコントローラ２０００とスキャナ２０１５、およびコントローラ２０００とプリンタ２０１７を結ぶシリアルＩ／Ｆ）を介してスキャナ２０７０にスキャン要求を行う。また、同時にシンクマネージャ４０８０を介してイメージマネージャ４１１０にスキャン用の画像処理要求を出す。イメージマネージャ４１１０はスキャンマネージャ４０５０の指示に従って、スキャナ画像処理部２０１４の設定を行う。設定が完了したら、シンクマネージャ４０８０を介してスキャン準備完了を伝える。
【００６１】
その後スキャンマネージャ４０５０はスキャナ２０７０に対してスキャンを指示する。スキャン画像転送完了は図示しないハードウェアからの割り込み信号によってイメージマネージャ４１１０に伝わる。イメージマネージャ４１１０からのスキャン完了を受けてシンクマネージャ４０８０はスキャン完了をスキャンマネージャ４０５０、プリントマネージャ４０９０に伝える。同時にシンクマネージャ４０８０はＲＡＭ２００２に蓄積された圧縮画像をＨＤＤ２００４にファイル化するためイメージマネージャ４１１０に指示する。
【００６２】
イメージマネージャ４１１０は指示に従ってメモリ上の画像（文字／写真判定信号を含めて）をＨＤＤ２００４に格納する。画像の付随情報として図示しないＳＲＡＭにカラー判定／白黒判定結果、下地とばしを行うための下地とばしレベル、画像入力元としてスキャン画像、色空間ＲＧＢも格納しておく。また、ＨＤＤ２００４への格納が終了し、スキャナ２０７０からのスキャン完了を受けたら、シンクマネージャ４０８０を介してスキャンマネージャ４０５０にファイル化終了を通知する。スキャンマネージャ４０５０はジョブマネージャ４０４０に対して終了通知を返し、ジョブマネージャ４０４０は共通インタフェース４０３０を介してコピーアプリケーション部４０２０へ返す。
【００６３】
プリントマネージャ４０９０はメモリに画像が入った時点でデバイスＩ／Ｆを介して、プリンタ２０９５に印刷要求をだす。同時にシンクマネージャ４０８０にプリント画像処理要求を行う。シンクマネージャ４０８０はプリントマネージャ４０９０から要求を受けたら画像処理設定をイメージマネージャ４１１０に依頼する。イメージマネージャ４１１０は前記の画像の付随情報に従ってプリンタ画像処理部２０１６の設定を行い、シンクマネージャ４０８０を介してプリントマネージャ４０９０にプリント準備完了を伝える。プリントマネージャ４０９０はプリンタに対して印刷指示を出す。
【００６４】
プリント画像転送完了は図示しないハードウェアからの割り込み信号によってイメージマネージャ４１１０に伝わる。イメージマネージャ４１１０からのプリント完了を受けてシンクマネージャ４０８０はプリント完了をプリントマネージャ４０９０に伝える。プリントマネージャ４０９０はプリンタ部からの排紙完了を受け、ジョブマネージャ４０４０に対して終了通知を返し、ジョブマネージャ４０４０は共通インタフェース４０３０を介してコピーアプリケーション部４０２０へ返す。コピーアプリケーション部４０２０はスキャン、プリントが終了したらジョブ終了をＵＩ制御部に通知する。
【００６５】
リモートコピーのスキャンジョブ、送信ジョブの場合は、プリントマネージャ４０９０に代わってストアマネージャ４１００がジョブマネージャ４０４０からの要求を受ける。スキャン画像をＨＤＤに格納し終わった時点で、シンクマネージャ４０８０から格納完了通知を受け、それを共通インタフェース４０３０を介してリモートコピーならコピーアプリケーション部４０２０に、送信ジョブなら送信アプリケーション部４０２１に通知する。コピーアプリケーション部４０２０、送信アプリケーション４０２１はこの通知のあと、ネットワークアプリケーション４４２０に対してＨＤＤに格納されたファイルの送信を依頼する。依頼を受けたネットワークアプリケーション４４２０がファイルを送信する。
【００６６】
ネットワークアプリケーション４４２０はジョブ開始時にコピーアプリケーション部４０２０からコピーに関する設定情報を受け、それもリモート側の機器に通知する。ネットワークアプリケーション４４２０はリモートコピーの場合、機器固有の通信プロトコルを使用して送信を行う。また送信ジョブの場合はＦＴＰ、ＳＭＢのような標準的なファイル転送プロトコルを使用する。
【００６７】
ファックス送信する場合はファイル格納後、送信アプリケーション４０２１から共通インタフェース４０３０、ジョブマネージャ４０４０を介してＦＡＸマネージャ４０４１に送信が指示される。ＦＡＸマネージャ４０４１はＭｏｄｅｍ２０５０を介して、相手機器とネゴシエーションし、必要な画像処理（カラー−＞白黒変換、多値２値変換、回転、変倍）をイメージマネージャ４１１０に依頼し、変換後の画像をＭｏｄｅｍを使って送信する。
【００６８】
また、送信先にプリンタがある場合、送信アプリケーションは共通インタフェース４０００を介してプリントジョブとしてプリントの指示を行う。そのときの動作は以下で説明するリモートコピーのプリントジョブの場合と同様である。また、送信宛先が機器内のボックス宛先になっているときはファイルストアマネージャ４１００によって機器内のファイルシステムに格納する。
【００６９】
ＦＡＸ受信時はＦＡＸマネージャがＭｏｄｅｍを使って画像を受信し、画像ファイルとしてＨＤＤ２００４に格納する。ＨＤＤ２００４格納後にボックスアプリケーション４０２１に通知すると、ボックスアプリケーション４０２１から受信プリントの指示が共通インタフェース４０３０を介して、ジョブマネージャ４０４０になされる。その後は通常のボックスプリントジョブと同じ動作になるため省略する。
【００７０】
リモートコピーのプリントジョブの場合は、送信側からの画像をネットワークアプリケーション４４２０がＨＤＤに保存するとともにコピーアプリケーション部４０２０に対してジョブを発行する。コピーアプリケーション部４０２０は共通インタフェース４０３０を介してジョブマネージャ４０４０にプリントジョブを投入する。ローカルコピーとは異なり、スキャンマネージャ４０５０に代わってファイルリードマネージャ４０６０がジョブマネージャ４０４０からの要求を受ける。受信画像をＨＤＤからメモリに展開するための要求をシンクマネージャ４０８０を介して、イメージマネージャ４１１０に行う。
【００７１】
イメージマネージャ４１１０はメモリに画像を展開する。イメージマネージャ４１１０は展開が終了した時点で、展開終了をシンクマネージャ４０８０を経由して、ファイルリードマネージャ４０６０とプリントマネージャ４０９０に伝える。プリントマネージャ４０９０はメモリに画像が入った時点でデバイスＩ／Ｆを介して、プリンタ２０１７にジョブマネージャから指示された給紙段、もしくはその用紙サイズを有する段を選択し、印刷要求をだす。自動用紙の場合には画像サイズから給紙段を決定し印刷要求をだす。同時にシンクマネージャ４０８０にプリント画像処理要求を行う。
【００７２】
シンクマネージャ４０８０はプリントマネージャ４０９０から要求を受けたらプリント画像処理設定をイメージマネージャ４１１０に依頼する。（このときたとえば最適サイズ用紙がなくなり、回転が必要になれば別途回転指示も依頼する。回転指示があった場合にはイメージマネージャが画像回転２０１９を使って画像を回転する。）イメージマネージャ４１１０はプリンタ画像処理部２０１６の設定を行い、シンクマネージャ４０８０を介してプリントマネージャ４０９０にプリント準備完了を伝える。プリントマネージャ４０９０はプリンタに対して印刷指示を出す。プリント画像転送完了は図示しないハードウェアからの割り込み信号によってイメージマネージャ４１１０に伝わる。イメージマネージャ４１１０からのプリント完了を受けてシンクマネージャ４０８０はプリント完了をファイルリードマネージャ４０６０とプリントマネージャ４０９０に伝える。ファイルリードマネージャ４０６０は終了通知をジョブマネージャ４０４０に返す。
【００７３】
プリントマネージャ４０９０はプリンタ部からの排紙完了を受け、ジョブマネージャ４０４０に対して終了通知を返す。ジョブマネージャ４０４０は共通インタフェース４０３０を介してコピーアプリケーション部４０２０へ終了通知を返す。コピーアプリケーション部４０２０はスキャン、プリントが終了したらジョブ終了をＵＩ制御部に通知する。
【００７４】
ＰＤＬデータ展開格納ジョブの場合は、ＰＤＬプリントを投入したホストＰＣからの要求がネットワークアプリケーション４１２０を経由してＰＤＬアプリケーション４０２３に伝達される。ＰＤＬアプリケーションがＰＤＬデータ展開格納ジョブを共通インタフェース４０３０を介してジョブマネージャ４０４０に指示する。このときＰＤＬマネージャ４０７０とストアマネージャ４１００がジョブマネージャ４０４０からの要求を受ける。画像のＲＩＰが終了した後の画像入力する部分に関しては前述のスキャンジョブと同様である。メモリ上の画像（文字／写真判定信号を含めて）をＨＤＤ２００４に格納する。画像の付随情報として図示しないＳＲＡＭにカラー／白黒情報、画像入力元としてＰＤＬ画像、色空間ＣＭＹＫもしくはＲＧＢも格納しておく。ＰＤＬ画像をＨＤＤ２００４に格納し終わった時点で、シンクマネージャ４０８０から格納完了通知を受け、それを共通インタフェース４０３０を介してＰＤＬアプリケーション４０２３に通知する。ＰＤＬアプリケーション４０２３はこの通知のあと、ネットワークアプリケーション４４２０にＨＤＤに格納完了を通知し、ＰＤＬプリントを投入したホストＰＣへこの情報が伝達される。また、ＰＤＬプリントジョブの場合にはＰＤＬマネージャ４０７０とプリントマネージャによって、メモリ上に展開された画像を印字する。
【００７５】
ＰＤＬ展開され格納された画像のプリントはＵＩで印刷指示された格納文書をＢＯＸアプリケーションに対してプリントジョブとして発行する。ＢＯＸアプリケーション部４０２２は共通インタフェース４０３０を介してジョブマネージャ４０４０にプリントジョブを投入する。ローカルコピーとは異なり、スキャンマネージャ４０５０に代わってファイルリードマネージャ４０６０がジョブマネージャ４０４０からの要求を受ける。印刷指示された画像をＨＤＤからメモリに展開するための要求をシンクマネージャ４０８０を介して、イメージマネージャ４１１０に行う。この後の動作はリモートコピーのプリントジョブで説明した動作と同様のため、省略する。
【００７６】
以下に、本発明において特徴的な、像域フラグに応じた４色印刷、６色印刷の切り替え制御について説明する。
【００７７】
スキャンジョブでスキャナから画像がメモリに格納されたとき、あるいはＰＤＬジョブでＲＩＰされた画像がメモリに格納されたとき、その画像について４色印刷するか６色印刷するかを像域フラグを用いて判定する。このときの処理のフローチャートを図１７に示す。
【００７８】
図１７においてＳ４１０１で判定を開始すると、Ｓ４１０２へ進んで先頭のパケットデータのアドレスを取得し、Ｓ４１０３へ進んでパケットデータのパケットヘッダ内の情報から像域フラグの先頭アドレスを計算する。像域フラグはランレングス圧縮されているため、データ個数、データ値の繰り返しが並んでいるので、Ｓ４１０４へ進んでまず像域フラグのデータ個数を取得する。そしてＳ４１０５へ進んでデータ個数の次の像域フラグのデータ値を取得する。
【００７９】
Ｓ４１０６ではデータ値の文字写真フラグが１かどうかを判断し、１でなければＳ４１０７へ進み、１であればＳ４１０８へ進む。Ｓ４１０７ではデータ値の有彩色無彩色フラグが１であるかどうか判断し、１であればＳ４１０８へ進み、１でなければＳ４１０９へ進む。
【００８０】
Ｓ４１０８では、ここに進んでくるのはＳ４１０６あるいはＳ４１０７のいずれかがＹｅｓである場合、すなわち当該画素が文字データであるかあるいは無彩色のデータであるため、４色印字画素数にＳ４１０５で取得した像域フラグの個数を加算する。Ｓ４１０９では取得済み画素数にＳ４１０５で取得した像域フラグの個数を加算し、Ｓ４１１０へ進んで３２ｘ３２画素のタイルデータのすべて、すなわち１２８画素分の像域フラグの取得を行ったかどうか判定する。取得が終わっていなかった場合にはＳ４１０４へ戻り、次のデータの判定を行う。
【００８１】
Ｓ４１１０でＹｅｓだった場合にはＳ４１１１へ進み、すべてのパケットデータについて処理を行ったかを判定する。Ｓ４１１１でＮｏである場合にはＳ４１０２へ戻って次のパケットデータのアドレスを取得し、上述した処理を繰り返す。Ｓ４１１１でＹｅｓであった場合にはＳ４１１２へ進んでＳ４１０８で加算を行った４色印字画素数の全画素数に対する割合を計算し、Ｓ４１１３でその割合が所定の値以下であるかどうかを判定する。
【００８２】
Ｓ４１１３がＹｅｓであればＳ４１１４へ進んで６色印字を行うと判定し、Ｓ４１１３がＮｏであればＳ４１１５へ進んで４色印字を行うと判定し、Ｓ４１１６へ進んで終了する。この判定結果は前述した下地レベルやカラー・白黒判定結果と同様に非図示のＳＲＡＭあるいはＨＤＤへ画像の属性として格納される。判定した画像をプリントするときには、前述したプリンタへのプリント指示の際に画像の属性から４色印刷あるいは６色印刷かどうかを取得し、プリンタへ指示を行う。
【００８３】
以上のような制御により、文字や線のみで構成されたページは４色印刷をし、写真画像が入ったページは６色で印刷する、というページごとの４色／６色印刷切替を行うことができる。
【図面の簡単な説明】
【００８４】
【図１】画像形成システムの全体構成を示す図
【図２】画像形成装置の全体構成を示す図
【図３】パケット画像と画像全体の関係図
【図４】パケット画像の構造を示す図
【図５】本発明のスキャナ画像処理のブロック図
【図６】本発明のプリンタ画像処理のブロック図
【図７】画像形成装置の入出力デバイス外観図
【図８】画像形成装置の操作部外観図
【図９】ＲＩＰ処理部の内部構成図
【図１０】圧縮器の内部構成図
【図１１】本発明の操作部の送信画面の説明図
【図１２】本発明の操作部の送信画面の詳細説明図
【図１３】本発明の操作部のコピー画面の説明図
【図１４】本発明の操作部のボックス画面の説明図
【図１５】本発明の操作部のボックス画面の詳細説明図
【図１６】本発明のソフト構成を示すソフト構成図
【図１７】４色／６色印刷判定のフローチャート図
【符号の説明】
【００８５】
２００、２２０、２３０  画像形成装置
２４０  ＰＣ
２０００、２２００、２３００  Ｃｏｎｔｒｏｌｌｅｒ  Ｕｎｉｔ
２０７０、２２７０、２３７０  スキャナ部
２０９５、２２９５、２３９５  プリンタ部
２１１２、２２１２、２３１２  操作部
２００１  ＣＰＵ
２００２  ＲＡＭ
２００３  ＲＯＭ
２００４  ＨＤＤ
２００５  操作部Ｉ／Ｆ
２００６  操作部（ＵＩ）
２００７  Ｎｅｔｗｏｒｋ
２００８  ＬＡＮ（システムバス）
２００９  ＤＭＡＣ
２０１０  画像バス
２０１１  ＩｍａｇｅＢｕｓＩ／Ｆ（ＬＡＮ）
２０１２  圧縮器
２０１３  伸張器
２０１４  スキャナ画像処理
２０１５  カラースキャナ
２０１６  プリンタ画像処理
２０１７  カラープリンタ
２０１８  ＲＩＰ
２０１９  回転
２０２０  変倍
２０２１  色空間変換
２０２２  ２値多値
２０２３  合成
２０２４  間引き
２０２５  移動
２０２６  多値２値
２０３０  ＲＡＭ
２０５０  Ｍｏｄｅｍ
２０５１  公衆回線
２０５２  ２値画像回転
２０５３  ２値画像圧縮・伸張
【図１】
2007036793.tif 000003
【図２】
2007036793.tif 000004
【図３】
2007036793.tif 000005
【図４】
2007036793.tif 000006
【図５】
2007036793.tif 000007
【図６】
2007036793.tif 000008
【図７】
2007036793.tif 000009
【図８】
2007036793.tif 000010
【図９】
2007036793.tif 000011
【図１０】
2007036793.tif 000012
【図１１】
2007036793.tif 000013
【図１２】
2007036793.tif 000014
【図１３】
2007036793.tif 000015
【図１４】
2007036793.tif 000016
【図１５】
2007036793.tif 000017
【図１６】
2007036793.tif 000018
【図１７】
2007036793.tif 000019